(57)【要約】【課題】開閉検知用の専用の光センサを用いることなく、開閉機構の開閉を検知できる原稿読取装置を提供する。【解決手段】原稿１９の幅よりも広い領域を読取り可能なセンサを有する密着型イメージセンサ１２を用い、ローラ１６の原稿読取り領域を外れた位置に形成されているパターン２１を読取るかどうかを判別することにより、密着型イメージセンサ１２がローラ１６に接触して読取り可能状態になっているか、あるいはローラ１６が密着型イメージセンサ１２から下方に引離されているかを専用の光学センサを用いることなく検出できる。【選択図】図２
2007235884.tif 000002
【特許請求の範囲】
【請求項１】
原稿を搬送する搬送手段と、
前記搬送手段に対向して設けられ、搬送途中の前記原稿を読取るための密着型センサと、
前記対向して配置された前記搬送手段と前記密着型センサとを接近または引き離し可能に支持する開閉機構と、
前記密着型センサに対向した位置に設けられた識別標識と、
前記密着型センサが前記識別標識を読取らなかったことに応じて、前記開閉機構が開かれたことを判別する判別手段とを備える、原稿読取装置。
【請求項２】
前記搬送手段は、軸方向長さが前記原稿の幅よりも長く形成されたローラを含み、
前記識別標識は、前記ローラの前記原稿の幅を外れた周面に設けられる、請求項１に記載の画像読取装置。
【請求項３】
前記識別標識は、それぞれが前記原稿の搬送方向に平行に形成された濃度差を有する複数の帯状のパターンである、請求項１または２に記載の原稿読取装置。
【請求項４】
前記パターンは、前記密着型センサによる読取りの解像度を確認するためのパターンに兼用される、請求項３に記載の原稿読取装置。
【発明の詳細な説明】
【技術分野】
【０００１】
この発明は原稿読取装置に関し、特に密着型イメージセンサにより原稿を読取る原稿読取装置に関する。
【背景技術】
【０００２】
デジタル複写機やファクシミリ装置やスキャナなどにおいては、原稿を送るためのローラに対向してセンサが配置されている。原稿の紙詰まりが発生すると、詰まった原稿を排除するために開閉機構により搬送路を開くと、原稿の紙送りを禁止するためにローラの回転は停止される。詰まった原稿を排除し、搬送路を閉じると、ローラが回転して原稿の読取りを再開する。紙詰まりを解消した後、搬送路が完全に閉じられたかどうかを検知するために機械的スイッチあるいは光学センサを利用したスイッチを設けている。
【０００３】
例えば、特開平１０−１９４５２０号公報（特許文献１）には、図５に示すような開閉機構の開閉を検知する開閉検知機構が示されている。図５において、原稿が載置される原稿台１の端部側を覆うように給紙カバー２が設けられており、給紙カバー２は図５の点線で示すように開閉可能に構成されている。給紙カバー２内側には、カバー開閉フィラー５と、原稿セットフィラー６とが原稿の幅方向（図５で紙面に対して垂直方向）で異なる位置に取付けられている。
【０００４】
カバー開閉フィラー５は、数十％の透過率を有し、原稿セットフィラー６は光を完全に遮る材質で形成されている。給紙カバー２を開くと、カバー開閉フィラー５と、原稿セットフィラー６は上下方向に示す矢印の上方へ移動する。
【０００５】
開閉可能な給紙カバー２に対して、原稿の幅方向に光軸Ｘを有する光センサ４が図示しない本体側に固定的に配置されている。カバー開閉フィラー５は、給紙カバー２が閉じられているとき、光センサ４の光軸Ｘを遮るので、光センサ４の出力は現れない。しかし、カバー開閉フィラー５は、数十％の透過率を有しているので、光センサ４からはある電圧が出力される。
【０００６】
原稿セットフィラー６は、給紙カバー２が閉じられているときに、原稿台１に原稿が載置されていない状態では、実線に示す位置にあるので光センサ４の光軸Ｘを遮っていない。原稿が原稿台１に載置されると、原稿セットフィラー６は点線に示すように一端を中心に回動し、他端が斜め方向の矢印で示すように移動して、光センサ４の光軸Ｘを遮る。原稿セットフィラー６は光を完全に遮るので、光センサ４の出力電圧は０Ｖとなる。
【０００７】
このように、特許文献１に記載された開閉検知器は、給紙カバー２が開かれている状態と、給紙カバー２が閉じられて原稿がセットされていない状態と、給紙カバー２が閉じられて原稿がセットされている状態のそれぞれに応じて、光センサ４の出力電圧が異なるので、１つの光センサ４で複数の状態を検出できる。
【特許文献１】特開平１０−１９４５２０号公報（要約）
【発明の開示】
【発明が解決しようとする課題】
【０００８】
特許文献１に記載された開閉検知器は、光センサ４を用いているものの、可動部分である原稿セットフィラー６を用いており、永年の使用により折れてしまうことがある。
【０００９】
そこで、この発明の目的は、開閉検知用の専用の光センサを用いることなく、開閉機構の開閉を検知できる原稿読取装置を提供することである。
【課題を解決するための手段】
【００１０】
この発明は、原稿を搬送する搬送手段と、搬送手段に対向して設けられ、搬送途中の原稿を読取るための密着型センサと、対向して配置された搬送手段と密着型センサとを接近または引き離し可能に支持する開閉機構と、密着型センサに対向した位置に設けられた識別標識と、密着型センサが識別標識を読取らなかったことに応じて、開閉機構が開かれたことを判別する判別手段とを備える。
【００１１】
搬送手段は、具体的には、軸方向長さが原稿の幅よりも長く形成されたローラを含み、識別標識は、ローラの原稿の幅を外れた周面に設けられる。
【００１２】
識別標識は、好ましくは、それぞれが原稿の搬送方向に平行に形成された濃度差を有する複数の帯状のパターンであり、密着型センサによる読取りの解像度を確認するためのパターンに兼用される。
【発明の効果】
【００１３】
この発明によれば、対向して配置された搬送手段と密着型センサとを開閉機構により接近または引き離し可能に支持し、密着型センサに対向した位置に開閉識別標識を設け、密着型センサが開閉識別標識を読取らなかったことに応じて、開閉機構が開かれたことを判別するようにしたので、開閉検知用の専用の光センサを用いることなく、開閉機構の開閉を検知できる。
【発明を実施するための最良の形態】
【００１４】
図１はこの発明の一実施形態における原稿読取装置１０のブロック図である。この発明の一実施形態の原稿読取装置１０は原稿の読取りセンサとして密着型イメージセンサ１２を用いている。密着型イメージセンサ１２は制御部１１に接続されている。制御部１１には操作部１３と、モータ１４と、外部通信部１５とが接続されており、これらは制御部１１により制御される。操作部１３は原稿の読取り開始を指令するためのキーなどを含む。モータ１４は後述の図２に示すローラ１６を回転駆動する。外部通信部１５は密着型イメージセンサ１２で読取った読取りデータを外部へ出力する。
【００１５】
図２はこの発明の一実施形態における原稿読取装置１０の原稿読取り機構２０を示す外観斜視図であり、図３は図１に示す矢印Ａ方向から見た読取り機構２０の側面図であり、図４は、密着型イメージセンサ２による読取り出力波形を示す図である。
【００１６】
図２において、読取機構２０は、密着型イメージセンサ１２と、搬送手段としてのローラ１６と、開閉機構としてのローラ引下げ機構１８とを含む。密着型イメージセンサ１２は、長手方向に原稿３の幅よりも広い領域を読取り可能に構成されており、長手方向に多数のセンサが配置されている。密着型イメージセンサ１２の長手方向に延びるようにローラ１６が対向して配置されている。ローラ１６は原稿１９の幅よりも軸方向長さが長くなるように形成されており、図１に示したモータ１４により駆動され、回転軸１７を中心に回転して原稿１９を幅方向に対して直交する方向に搬送する。
【００１７】
ローラ引下げ機構１８はローラ１６の一方側に設けられ、紙詰まり時に、密着型イメージセンサ１２に接触しているローラ１６の回転軸１７を下方に引下げる。なお、ローラ引下げ機構１８はローラ１６の他方側にも設けてもよい。また、ローラ１６を引下げることなく、密着型イメージセンサ１２を上方に引き上げて、ローラ１６との接触を解除できるようにしてもよい。
【００１８】
ローラ１６の原稿１９が当接する位置である原稿読取り位置を除いた原稿が当接しない原稿非読取り位置のスペースには識別標識としてのパターン２１が周方向に形成されている。パターン２１は、例えば、原稿１９の搬送方向に平行に延びる白黒の濃淡を有する帯状のパターンが用いられる。このパターン２１は、ローラ１６と密着型イメージセンサ１２とが接触しているかどうかを判別するために形成されている。
【００１９】
したがって、密着型イメージセンサ１２は、原稿読取り時には図３（Ａ）に示すようにローラ１６に接触し、原稿１９を読取るときに、同時にパターン２１も読取る。密着型イメージセンサ１２の読取り出力として、図４（Ａ）に示すように原稿読取り出力と、パターン読取り出力とが現れる。原稿読取り出力は、原稿１９の画像に応じて変化するが、パターン２２の読取り出力は濃淡の変化に応じてパルス状に変化する。密着型イメージセンサ１２はＳＳＤ素子などに比較して被写界深度が浅いので、パターン２１に接近していても読取ることが可能になる。
【００２０】
原稿１９が紙詰まりを起こすと、紙詰まりした原稿１９を排除できるように、ローラ引下げ機構１８により、図３（Ｂ）に示すように、ローラ１６と密着型イメージセンサ１２との接触が解除されて、ローラ１６が密着型イメージセンサ１２から引離される。このため、密着型イメージセンサ１２の読取り出力には、図４（Ｂ）に示すように、原稿１９の読取り出力が現れず、パターン２１の読取り出力も現れないかあるいは現れても、レベルが極めて低くなる。
【００２１】
したがって、制御部１１は、密着型イメージセンサ１２のパターン読取り出力のレベルを所定のしきい値で判別することにより、密着型イメージセンサ１２とローラ１６とが接触しているかどうかを判別できる。
【００２２】
上述のごとく、この実施形態によれば、原稿１９の幅よりも広い領域を読取り可能なセンサを有する密着型イメージセンサ１２を用い、ローラ１６の原稿読取り領域を外れた位置に形成されているパターン２１を読取るかどうかを判別することにより、密着型イメージセンサ１２がローラ１６に接触して読取り可能状態になっているか、あるいはローラ１６が密着型イメージセンサ１２から下方に引離されているかを専用の光学センサを用いることなく検出できる。
【００２３】
なお、パターン２１を解像度検知用のパターンに兼用すれば、常に解像度の判別も可能になる。
【００２４】
また、上述の説明では、パターン２１をローラ１６の端部に形成したが、これに限ることなく、ローラ１６の中央部に形成してもよい。さらに、密着型イメージセンサ１２と、ローラ１６の上下を逆に配置してもよい。
【００２５】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２６】
【図１】この発明の一実施形態における原稿読取装置のブロック図である。
【図２】この発明の一実施形態における原稿読取装置の原稿読取り機構を示す外観斜視図である。
【図３】図１に示す矢印Ａ方向から見た読取り機構の側面図である。
【図４】密着型イメージセンサによる読取り出力波形を示す図である。
【図５】従来の原稿読取装置における開閉検知機構を示す図である。
【符号の説明】
【００２７】
１０  原稿読取装置、１１  制御部、１２  密着型イメージセンサ、１３  操作部、１４  モータ、１５  外部通信部、１６  ローラ、１７  回転軸、１８  ローラ引下げ機構、１９  原稿、２０  読取機構、２１  パターン。
【図１】
2007235884.tif 000003
【図２】
2007235884.tif 000004
【図３】
2007235884.tif 000005
【図４】
2007235884.tif 000006
【図５】
2007235884.tif 000007